(57)【要約】【課題】  静電気に起因するレーザダイオードの破壊を防止すること。【解決手段】  光ピックアップは、光学ベースと、光学ベースの外側壁に取り付けられる、少なくとも１つのレーザダイオードとを備える。レーザダイオードは、基部と、その基部から背面側へ延在するＬＤ端子およびＧＮＤ端子とを有する。ショートランド・フレキシブルプリント基板（１０５）は、レーザダイオードのＬＤ端子とＧＮＤ端子とを、ＬＤ端子から離れた位置で半田（１０９）によりショートすることが可能な導体パターン（１０５−６、１０５−７、１０５−８）が形成されている。【選択図】      図７
2008090922.tif 000002
【特許請求の範囲】
【請求項１】
光学ベースと、該光学ベースの外側壁に取り付けられる、少なくとも１つのレーザダイオードとを備え、該レーザダイオードは、基部と、該基部から背面側へ延在するＬＤ端子およびＧＮＤ端子とを有する、光ピックアップにおいて、
前記レーザダイオードのＬＤ端子とＧＮＤ端子とを、前記ＬＤ端子から離れた位置で半田によりショートすることが可能な導体パターンが形成されたショートランド・フレキシブルプリント基板を有することを特徴とする光ピックアップ。
【請求項２】
前記光ピックアップは、前記光学ベース上に搭載されるＯＰＵ回路基板と、前記レーザダイオードのＬＤ端子およびＧＮＤ端子を前記ＯＰＵ回路基板に電気的に接続するためのＬＤフレキシブルプリント基板とを備え、
前記ショートランド・フレキシブルプリント基板は、前記レーザダイオードの基部と前記ＬＤフレキシブルプリント基板との間に配置されている、請求項１に記載の光ピックアップ。
【請求項３】
前記レーザダイオードの基部と前記ショートランド・フレキシブルプリント基板との間には第１の補強板が介在し、前記ショートランド・フレキシブルプリント基板と前記ＬＤフレキシブルプリント基板との間には第２の補強板が介在している、請求項２に記載の光ピックアップ。
【請求項４】
前記レーザダイオードの前記ＬＤ端子に直接触れないように、前記レーザダイオードを覆うサイドカバーを更に有する、請求項１乃至３のいずれ１つに記載の光ピックアップ。
【請求項５】
前記光ピックアップは、前記レーザダイオードを保持しつつ前記光学ベースの外側壁に取り付けるためのＬＤホルダを有し、
前記ＬＤホルダと前記サイドカバーと前記光学ベースとの間に塗布された放熱用樹脂を有する、請求項４に記載の光ピックアップ。
【請求項６】
前記光ピックアップが、互いに波長の異なる３種類のレーザビームを使い分けて３種類の光ディスクに対して記録・再生を行うことが可能な３波長対応光ピックアップから成る、請求項１乃至５のいずれか１つに記載の光ピックアップ。
【発明の詳細な説明】
【技術分野】
【０００１】
本発明は、光ピックアップに関し、特に、互いに波長の異なる３種類のレーザビームを使い分けて３種類の光ディスクに対して記録・再生を行うことが可能な３波長対応光ピックアップに関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｒａｙディスク、ＨＤ−ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザビームを照射し、またその反射光を検出するための光ピックアップを備えている。
【０００３】
一方、周知のように、ＤＶＤ装置においては、ディジタル・ヴァーサタイル・ディスク（ＤＶＤ）とコンパクト・ディスク（ＣＤ）とのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザビームを使い分けて記録・再生を行うものであり、「２波長対応光ピックアップ」と呼ばれている。
【０００４】
この種の２波長対応光ピックアップの一種として、ＤＶＤ用の短波長レーザ光（第１のレーザ光）を出射するためのＤＶＤ用の第１のレーザダイオードと、ＣＤ用の長波長レーザ光（第２のレーザ光）を出射するためのＣＤ用の第２のレーザダイオードとを備えたものがある（例えば、特許文献１参照）。
【０００５】
しかしながら、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。この１チップ型レーザダイオードは、第１のレーザ光を出射する第１の発光点と第２のレーザ光を出射する第２の発光点とは所定距離（例えば、１００μｍ）だけ離れているので、第１のレーザビームと第２のレーザビームとは互いに所定距離だけ離間して平行に出射されることになる。
【０００６】
さらに、最近のＤＶＤ装置においては、ＤＶＤやＣＤばかりでなくＨＤ−ＤＶＤ（High Definition ＤＶＤ）に対しても記録・再生可能にするために特殊な光ピックアップを備えた光ディスクドライブを搭載したものも開発されている。そのような特殊な光ピックアップは、ＤＶＤ用の中波長レーザ光（波長約６５０ｎｍ）とＣＤ用の長波長レーザ光（波長約７８０ｎｍ）とＨＤ−ＤＶＤ用の短波長レーザ光（波長約４１０ｎｍ）との３種類のレーザ光を使い分けて記録・再生を行うものであり、「３波長対応光ピックアップ」と呼ばれている。
【０００７】
このような３波長対応光ピックアップとして、上記特許文献２に開示されているような、ＣＤ及びＤＶＤ用の１チップ型レーザダイオード（２波長１パッケージレーザダイオード）と、ＨＤ−ＤＶＤ用の青色レーザダイオードとを使用することができる。尚、以下ではＨＤ−ＤＶＤを単にＨＤとも略称する。
【０００８】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。レーザ光源および光検出器は、光学ベースの外側壁に取り付けられ、対物レンズを除く光学系は光学ベース内に取り付けられる。
【０００９】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【００１０】
上記光ピックアップアクチュエータは、フォーカシング制御、トラッキング制御及びチルティング制御を可能にするための装置であり、対物レンズ駆動装置とも呼ばれる。対物レンズ駆動装置は、対物レンズを保持する対物レンズホルダを、複数本のサスペンションワイヤによってダンパベースで弾性支持している（例えば、特許文献３参照）。
【００１１】
ところで、対物レンズ駆動装置は、「対称構造のもの」と「非対称構造のもの」とに分類される。ここで、対称構造の対物レンズ駆動装置とは、対物レンズを中心としてコイルやマグネットを含む磁気回路が対称に配置されるものをいう。一方、非対称構造の対物レンズ駆動装置とは、対物レンズに対してコイルやマグネットを含む磁気回路が非対称に配置されるものをいう。
【００１２】
対称構造の対物レンズ駆動装置では、対物レンズホルダに１つのフォーカシングコイルを巻回し、対物レンズホルダの側面にトラッキングコイル及びチルティングコイルを貼り付け、これらのコイルを磁気回路のギャップ内に部分的に位置させている。このような構成において、各コイルに流れる電流を制御することで、従来の対称構造の対物レンズ駆動装置は、対物レンズの位置及び傾きを微調整することができる（例えば、特許文献４参照。）。尚、トラッキングコイル及びチルティングコイルは、対物レンズホルダの側面に貼り付ける必要上、空芯コイルで構成されている。
【００１３】
対称構造の対物レンズ駆動装置においては、複数本のサスペンションワイヤは、非駆動状態において水平になるように設けられている。詳述すると、対物レンズ駆動装置は、対物レンズを保持する対物レンズホルダを含む可動部分とダンパベースを含む固定部分とに分けられる。可動部分は複数本のサスペンションワイヤによってダンパベースで支持される。複数本のサスペンションワイヤは、ダンパベースと対物レンズホルダとの間で水平面と平行になるように設けられている。
【００１４】
【特許文献１】特開２００３−１７３５６３号公報
【特許文献２】特開平１１−１４９６５２号公報
【特許文献３】特開２００３−１９６８６５号公報
【特許文献４】特開２００１−９３１７７号公報
【発明の開示】
【発明が解決しようとする課題】
【００１５】
ところで、青色レーザダイオードは、非常に高価であり、静電気に極端に弱いという性質を持つ。そのため、静電気によって青色レーザダイオードが破壊してしまうという問題がある。
【００１６】
そこで、従来においては、青色レーザダイオードを保護するために、次のような対策が講じられている。すなわち、青色レーザダイオードを光学ベースの外側壁に取り付けて、ＯＰＵ回路基板上のレーザダイオード・ドライバＬＤＤと電気的に接続するまでの間、青色レーザダイオードのＬＤ端子とＧＮＤ端子とを半田でショートしておく。そして、青色レーザダイオードとレーザダイオード・ドライバＬＤＤとを電気的に接続した後に、上記半田を溶かしてその半田を吸い取ることによって、青色レーザダイオードのＬＤ端子とＧＮＤ端子とをオープンにしている。
【００１７】
しかしながら、このような対処方法では、上記半田を付けたり溶かす際に、熱が青色レーザダイオードのＬＤ端子に伝わってしまい、青色レーザダイオードに悪影響を与えてしまう恐れがある。
【００１８】
また、青色レーザダイオードを光学ベースの外側壁に取り付けた後でも、青色レーザダイオードのＬＤ端子が外部へ露出した状態にあるので、光ピックアップを取り扱う際に、人（作業者）が青色レーザダイオードのＬＤ端子に直接触れてしまう恐れがある。その結果、人（作業者）に蓄積していた静電気の影響で、青色レーザダイオードが破壊してしまう可能性がある。
【００１９】
上述した静電気に起因してレーザダイオードが破壊するという現象は、青色レーザダイオードに対してのみ起こるのではなく、上記１チップ型レーザダイオード（２波長１パッケージレーザダイオード）においても起こり得る。
【００２０】
そこで、本発明の課題は、静電気に起因するレーザダイオードの破壊を防止することができる、光ピックアップを提供することにある。
【課題を解決するための手段】
【００２１】
本発明によれば、光学ベース（４０）と、該光学ベースの外側壁に取り付けられる、少なくとも１つのレーザダイオード（１１；１２）とを備え、該レーザダイオードは、基部と、該基部から背面側へ延在するＬＤ端子（１１−１，１１−２；１２−１）およびＧＮＤ端子（１１−３；１２−２）とを有する、光ピックアップ（１０）において、前記レーザダイオードのＬＤ端子とＧＮＤ端子とを、前記ＬＤ端子から離れた位置で半田（１０９）によりショートすることが可能な導体パターン（１０５−６、１０５−７、１０５−８）が形成されたショートランド・フレキシブルプリント基板（１０５）を有することを特徴とする光ピックアップが得られる。
【００２２】
上記光ピックアップ（１０）において、前記光ピックアップ（１０）は、前記光学ベース上に搭載されるＯＰＵ回路基板（７１）と、前記レーザダイオードのＬＤ端子およびＧＮＤ端子を前記ＯＰＵ回路基板に電気的に接続するためのＬＤフレキシブルプリント基板（１０７）とを備えてよい。この場合、前記ショートランド・フレキシブルプリント基板（１０５）は、前記レーザダイオードの基部と前記ＬＤフレキシブルプリント基板（１０７）との間に配置される。前記レーザダイオードの基部と前記ショートランド・フレキシブルプリント基板（１０５）との間には第１の補強板が介在し、前記ショートランド・フレキシブルプリント基板（１０５）と前記ＬＤフレキシブルプリント基板（１０７）との間には第２の補強板が介在することが好ましい。前記レーザダイオードの前記ＬＤ端子に直接触れないように、前記レーザダイオードを覆うサイドカバー（１１０）を更に有することが望ましい。前記光ピックアップは、前記レーザダイオードを保持しつつ前記光学ベースの外側壁に取り付けるためのＬＤホルダ（１０１；１０２）を有してよい。この場合、前記ＬＤホルダと前記サイドカバー（１１０）と前記光学ベース（４０）との間に塗布された放熱用樹脂を有することが好ましい。前記光ピックアップは、互いに波長の異なる３種類のレーザビームを使い分けて３種類の光ディスクに対して記録・再生を行うことが可能な３波長対応光ピックアップ（１０）から構成されてよい。
【００２３】
なお、上記括弧内の参照符号は、単に本発明の理解を容易にするために付したものであって、何ら本発明を限定するものではない。
【発明の効果】
【００２４】
レーザダイオードのＬＤ端子とＧＮＤ端子とを、ＬＤ端子から離れた位置で半田によりショートすることが可能な導体パターンが形成されたショートランド・フレキシブルプリント基板を備えているので、半田を付けたり溶かしたりする際に、熱がレーザダイオードのＬＤ端子に伝わるのを防止することができる。
【００２５】
また、レーザダイオードのＬＤ端子に直接触れないように、レーザダイオードを覆うサイドカバーを設けることにより、静電気によりレーザダイオードが破壊するのを防止することができる。
【発明を実施するための最良の形態】
【００２６】
以下、図面を参照して本発明の実施の形態について詳細に説明する。
【００２７】
前述したように、光ディスクドライブにおいては、ＤＶＤやＣＤばかりでなくＨＤ−ＤＶＤ（High Definition ＤＶＤ）に対しても記録・再生可能にするために特殊な光ピックアップを搭載したものが開発されている。そのような特殊な光ピックアップは、ＤＶＤ用の中波長レーザビーム（波長約６５０ｎｍ）とＣＤ用の長波長レーザビーム（波長約７８０ｎｍ）とＨＤ−ＤＶＤ（ＨＤ）用の短波長レーザビーム（波長約４１０ｎｍ）との３種類のレーザビームを使い分けて記録・再生を行うものであり、「３波長対応光ピックアップ」と呼ばれている。
【００２８】
図１は本発明に係る３波長対応光ピックアップ１０の光学系のシステム構成図である。図示の３波長対応光ピックアップ１０は、レーザビームを出射するレーザ光源として１チップ型レーザダイオード１１と、青色レーザダイオード１２とを有する。
【００２９】
１チップ型レーザダイオード１１は、第１のレーザダイオード（図示せず）と第２のレーザダイオード（図示せず）とを１部品（１チップ）で構成したものである。第１のレーザダイオード（第１の発光点）と第２のレーザダイオード（第２の発光点）とは所定距離（例えば、１００μｍ）だけ離れている。第１のレーザダイオードは、第１の波長としてＣＤ用の波長約７８０ｎｍを持つ第１のレーザビームを出射するレーザダイオードであって、「ＣＤ−ＬＤ」と略称される。第２のレーザダイオードは、第２の波長としてＤＶＤ用の波長約６５０ｎｍを持つ第２のレーザビームを出射するレーザダイオードであって、「ＤＶＤ−ＬＤ」と略称される。青色レーザダイオード１２は、第３のレーザダイオードとも呼ばれ、第３の波長としてＨＤ−ＤＶＤ（ＨＤ）用の波長約４１０ｎｍを持つ第３のレーザビームを出射するレーザダイオードであって、「ＨＤ−ＬＤ」と略称される。
【００３０】
３波長対応光ピックアップ１０は、これら第１乃至第３のレーザビームのいずれか１つを光ディスク（図示せず）へ導くとともに、その反射光を光検出器３５（後述する）へ導く光学系とを備えている。そして、この光学系には、光ディスクに対向するように配置される対物レンズ３１が含まれている。レーザ光源１１、１２および光検出器３５は、光学ベース（後述する）の外壁に取り付けられ、対物レンズ３１を除く光学系は光学ベース内に取り付けられる。
【００３１】
一方、対物レンズ３１は、後述する対物レンズ駆動装置（光ピックアップアクチュエータ）に搭載される。後述するように、対物レンズ駆動装置は、対物レンズ３１を保持する対物レンズホルダを、複数本のサスペンションワイヤによってダンパベースで弾性支持する。
【００３２】
図示の３波長対応光ピックアップ１０は、光学系として、第１および第２の回折格子（グレーティング）１６および１７と、第１のビームスプリッタ２１と、第２のビームスプリッタ２３と、フロントモニタ２５と、立上げミラー（全反射ミラー）２７と、コリメータレンズ２９と、上記対物レンズ３１と、センサレンズ（検出レンズ）３３とを備えている。
【００３３】
第１の回折格子１６、第１のビームスプリッタ２１、第２のビームスプリッタ２３、立上げミラー２７、コリメータレンズ２９、対物レンズ３１、およびセンサレンズ３３の組み合わせは、第１または第２のレーザダイオードから出射された第１または第２のレーザビームを光ディスク（ＣＤまたはＤＶＤ）側へ導くと共に、この光ディスク側から反射された第１または第２の戻り光を透過して光検出器３５へ導く第１または第２の光学系として働く。同様に、第２の回折格子１７、第１のビームスプリッタ２１、第２のビームスプリッタ２３、立上げミラー２７、コリメータレンズ２９、対物レンズ３１、およびセンサレンズ３３の組み合わせは、青色レーザダイオード（第３のレーザダイオード）から出射された第３のレーザビームを光ディスク（ＨＤ―ＤＶＤ）側へ導くと共に、この光ディスク側から反射された第３の戻り光を透過して光検出器３５へ導く第３の光学系として働く。
【００３４】
ここで、青色レーザダイオード（第３のレーザダイオード）１２は、光軸中心に配置され、１チップ型レーザダイオード１１内の第２のレーザダイオードは、光軸中心に配置されている。従って、１チップ型レーザダイオード１１内の第１のレーザダイオードは、光軸からずれた状態で配置されている。そこで、図示の光検出器３５は、ＣＤからの第１の戻り光を光軸からずれたままで受光するように構成されている。
【００３５】
図２に図１に示した３波長対応光ピックアップに使用されるフォトディテクタ３５の構成を示す。フォトディテクタ３５は、第１の戻り光を受光するための第１の受光部３５−１と、第２または第３の戻り光を受光するための第２の受光部３５−２とを有する。第１の受光部３５−１は、中央の光束（メインビーム）を受光するための４分割フォトダイオードａ、ｂ、ｃ、ｄと、両側の２本の光束（サブビーム）を受光するための４つのフォトダイオードｅ、ｆ、ｇ、ｈとから構成される。第２の受光部３５−２は、中央の光束（メインビーム）を受光するための４分割フォトダイオードＡ、Ｂ、Ｃ、Ｄと、一方のサブビーム（先行サブビーム）を受光するための４つのフォトダイオードＥ１、Ｆ１、Ｇ１、Ｈ１と、他方のサブビーム（後行サブビーム）を受光するための４つのフォトダイオードＥ２、Ｆ２、Ｇ２、Ｈ２とから構成されている。
【００３６】
次に、図１に示した３波長対応光ピックアップの動作について説明する。この技術分野において周知のように、３波長対応光ビップアップは、書込みモードと再生モードとのいずれか一方のモードで動作するが、ここでは、再生モードの場合の動作について説明する。
【００３７】
最初に、光ディスクとしてＣＤを使用した場合の動作について説明する。この場合、１チップ型レーザダイオード１１内の第１のレーザダイオード（ＣＤ−ＬＤ）のみが動作状態に置かれ、１チップ型レーザダイオード１１内の第２のレーザダイオード（ＤＶＤ−ＬＤ）および青色レーザダイオード（第３のレーザダイオード）１２（ＨＤ−ＬＤ）は非動作状態に置かれる。
【００３８】
第１のレーザダイオード（ＣＤ−ＬＤ）から出射された第１のレーザビームは、第１の回折格子１６を通り、ここでトラッキング制御、フォーカス制御、およびチルティング制御を行うために３本のレーザビームに分離される。その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第１のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームがほぼ平行光にされて、対物レンズ３０に入射する。この対物レンズ３０を透過したレーザビームは、ここで収束されて、光ディスク（ＣＤ）の記録面に照射される（集光される）。
【００３９】
この光ディスク（ＣＤ）の記録面からの反射光（第１の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第１の受光部３５−１（図２）に集光する（で受光される）。
【００４０】
次に、光ディスクとしてＤＶＤを使用した場合の動作について説明する。この場合、１チップ型レーザダイオード１１内の第２のレーザダイオード（ＤＶＤ−ＬＤ）のみが動作状態に置かれ、１チップ型レーザダイオード１１内の第１のレーザダイオード（ＣＤ−ＬＤ）および青色レーザダイオード（第３のレーザダイオード）１２（ＨＤ−ＬＤ）は非動作状態に置かれる。
【００４１】
第２のレーザダイオード（ＤＶＤ−ＬＤ）から出射された第２のレーザビームは、第１の回折格子１６を通り、その後、第１のビームスプリッタ２１を透過し、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第２のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームがほぼ平行光にされて、対物レンズ３０に入射する。この対物レンズ３０を透過したレーザビームは、ここで収束されて、光ディスク（ＤＶＤ）の記録面に照射される（集光される）。
【００４２】
この光ディスク（ＤＶＤ）の記録面からの反射光（第２の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４３】
最後に、光ディスクとしてＨＤ−ＤＶＤを使用した場合の動作について説明する。この場合、青色レーザダイオード（第３のレーザダイオード）１２（ＨＤ−ＬＤ）のみが動作状態に置かれ、１チップ型レーザダイオード１１内の第１のレーザダイオード（ＣＤ−ＬＤ）および第２のレーザダイオード（ＤＶＤ−ＬＤ）非動作状態に置かれる。
【００４４】
青色レーザダイオード（第３のレーザダイオード）１２（ＨＤ−ＬＤ）から出射された第３のレーザビームは、第２の回折格子１７を通り、ここでトラッキング制御、フォーカス制御、およびチルティング制御を行うために３本のレーザビームに分離される。その後、これら３本のレーザビームは第３のビームスプリッタ２１で反射され、第２のビームスプリッタ２３に入射する。この入射光の内、第２のビームスプリッタ２３で一部が透過して、その透過光はフロントモニタ２５で受光される。とにかく、フロントモニタ２５は、第２のビームスプリッタ２３を透過した第３のレーザビームの発光量をモニタする。一方、上記入射光の内、第２のビームスプリッタ２３で反射された反射光は、立上げミラー２７で上方向へ反射される。この立上げミラー２７を反射したレーザビームは、コリメータレンズ２９を透過すると、発散光であったレーザビームが平行光にされて、対物レンズ３０に入射する。この対物レンズ３０を透過したレーザビームは、ここで収束されて、光ディスク（ＨＤ−ＤＶＤ）の記録面に照射される（集光される）。
【００４５】
この光ディスク（ＨＤ−ＤＶＤ）の記録面からの反射光（第３の戻り光）は、対物レンズ３１を通過し、コリメータレンズ２９を透過した後、収束光になる。この収束光は、立上げミラー２７で反射された後、第２のビームスプリッタ２３を通り、センサレンズ３３を透過した後、光検出器３５の第２の受光部３５−２（図２）に集光する（で受光される）。
【００４６】
図３および図４を参照して、３波長対応光ピックアップ１０について更に説明する。以下では、３波長対応光ピックアップ１０を単に光ピックアップと呼ぶことにする。
【００４７】
光ピックアップ１０は、光学ベース４０を有する。この光学ベース４０上には、ＯＰＵ回路基板７１を介して対物レンズ駆動装置５０が搭載されている。光学ベース４０は、光ディスクドライブに導入された光ディスクの半径方向（トラッキング方向Ｔｒ）に移動可能にガイドバー（図示せず）に取り付けられている。換言すれば、光ピックアップ１０は、ビップアップ駆動部（図示せず）によって所定のディスク半径方向（トラッキング方向Ｔｒ）にスレッド移動させられる。ビップアップ駆動部は、上記ガイドバーとして、光ピックアップ１０をその両側で所定のディスク半径方向（トラッキング方向Ｔｒ）に対してスレッド移動可能に支持する主軸（図示せず）および副軸（図示せず）を備えている。主軸および副軸の両方とも、ディスク半径方向（トラッキング方向Ｔｒ）に対して実質的に平行となるように延在して配置されている。すなわち、主軸と副軸とは、互いに平行に配置されている。
【００４８】
光ピックアップ１０は、主軸と係合する係合部（係合孔）６１と、副軸によって摺動可能に支持される、断面コ字型の摺接部６２とを有する。図示の例では、摺接部６２の上部摺接部分にキャップ６３が嵌めこまれており、このキャップ６３と摺接部６２の下部摺接部分との間に副軸が挟まれる。
【００４９】
対物レンズ駆動装置５０は、略直方体の形状をしている対物レンズホルダ５１を備える。対物レンズホルダ５１は、中央に対物レンズ３１を装着するための貫通孔によるレンズ装着部を有する。図示の対物レンズ駆動装置５０は、対称構造をしており、対物レンズ３１を中心としてコイル（図示せず）やマグネットを含む磁気回路（図示せず）が対称に配置されている。対称構造の対物レンズ駆動装置５０において、対物レンズホルダ５１に１つのフォーカシングコイル（図示せず）を巻回し、対物レンズホルダ５１の側面にトラッキングコイル（図示せず）及びチルティングコイル（図示せず）を貼り付け、これらのコイルを磁気回路のギャップ内に部分的に位置させている。このような構成において、各コイルに流れる電流を制御することで、対称構造の対物レンズ駆動装置５０は、対物レンズ３１の位置及び傾きを微調整することができる。
【００５０】
詳述すると、対物レンズ駆動装置５０は、対物レンズ３１を保持する対物レンズホルダ５１を、６本のサスペンションワイヤ５２によってダンパベース５３で弾性支持している。換言すれば、対物レンズホルダ５１は、タンジェンシャル方向Ｔｇに延在する６本のサスペンションワイヤ５２によりダンパベース５３で支持される。これら６本のサスペンションワイヤ５２は、上記の各種コイルと外部回路、つまり対物レンズ駆動装置５０のための駆動回路とを電気的に接続するための配線としても利用される。対物レンズホルダ５１には、前述してように、チルティングコイル、フォーカシングコイル及びトラッキングコイルが巻回されている。これらコイルに流す電流を適切に制御することにより、対物レンズホルダ５１は、ヨーク及びマグネットから成る磁気回路が作り出す磁界との関係に基づき、トラッキング方向Ｔｒに傾動し（タンジェンシャル方向Ｔｇに平行な軸を回転軸として回動し）、またトラッキング方向Ｔｒに沿って移動し、あるいはフォーカシング方向Ｆに沿って移動する。
【００５１】
光学ベース４０の上面にはＯＰＵ回路基板７１が搭載されている。このＯＰＵ用回路基板７１上で、隙間を空けて、対物レンズ駆動装置５０はそれらの四隅でＵＶ接着剤で光学ベース４０に固着されている。
【００５２】
光検出器３５はＰＤ回路基板７３上に搭載され、ＰＤホルダ７５によって保持された状態で、ＵＶ接着剤９１によって光学ベース４０の外側壁に固着されている。
【００５３】
図２に示したように、光ディスクからの反射光（戻り光）を受光する光検出器３５は、多数のフォトダイオードから構成されている。そして、これら多数のフォトタイオードで受光された受光信号は、光検出器３５内の処理回路（図示せず）で処理された後、ＰＤフレキシブルプリント基板(ＦＰＣ)７２を介してＯＰＵ回路基板７１へ送出される。
【００５４】
図４に加えて図５および図６をも参照して、１チップ型レーザダイオード１１は、第１のＬＤホルダ１０１を介して光学ベース４０の外側壁にＵＶ接着剤（図示せず）で取り付けられる。同様に、青色レーザダイオード１２は、第２のＬＤホルダ１０２を介して光学ベース４０の外側壁にＵＶ接着剤で取り付けられる。換言すれば、１チップ型レーザダイオード１１は、第１のＬＤホルダ１０１で保持された状態で、光学ベース４０の外側壁に取り付けられ、青色レーザダイオード１２は、第２のＬＤホルダ１０２で保持された状態で、光学ベース４０の外側壁に取り付かれる。
【００５５】
１チップ型レーザダイオード１１は、その基部から背面側へ突出する４本の端子を有する。その４本の端子の内の３本は、ＣＤ−ＬＤ端子１１−１、ＤＶＤ−ＬＤ端子１１−２、およびＧＮＤ端子１１−３であり、残り１本はダミー端子である。一方、青色レーザダイオード１２は、その基部から背面側へ突出する３本の端子を有する。その３本の端子の内の２本は、ＬＤ端子１２−１とＧＮＤ端子１２−２であり、残り１本はダミー端子である。
【００５６】
１チップ型レーザダイオード１１および青色レーザダイオード１２の各々は、本発明に係るショートランド・フレキシブルプリント基板１０５およびＬＤフレキシブルプリント基板１０７を介して、ＯＰＵ回路基板７１上のレーザダイオード・ドライバ（ＬＤＤ）（図示せず）と電気的に接続される。
【００５７】
青色レーザダイオード１２に用いられるショートランド・フレキシブルプリント基板１０５は、青色レーザダイオード１２のＬＤ端子１２−１とＧＮＤ端子１２−２とを、ＬＤ端子１２−１から離れた位置で半田（後述する）によりショートすることが可能な導体パターン（後述する）が形成されたショートランド・フレキシブルプリント基板である。一方、１チップ型レーザダイオード１１に用いられるショートランド・フレキシブルプリント基板１０５は、１チップ型レーザダイオード１１のＣＤ−ＬＤ端子１１−１、ＤＶＤ−ＬＤ端子１１−２、およびＧＮＤ端子１１−３を、ＣＤ−ＬＤ端子１１−１およびＤＶＤ−ＬＤ端子１１−２から離れた位置で半田（後述する）によりショートすることが可能な導体パターン（後述する）が形成されたショートランド・フレキシブルプリント基板である。
【００５８】
青色レーザダイオード１２に用いられるＬＤフレキシブルプリント基板１０７は、青色レーザダイオード１２のＬＤ端子１２−１およびＧＮＤ端子１２−２をＯＰＵ回路基板７１上のレーザダイオード・ドライバに電気的に接続するためのものである。１チップ型レーザダイオード１１に用いられるＬＤフレキシブルプリント基板１０７は、１チップ型レーザダイオード１１のＣＤ−ＬＤ端子１１−１、ＤＶＤ−ＬＤ端子１１−２、およびＧＮＤ端子１１−３をＯＰＵ回路基板７１上のレーザダイオード・ドライバに電気的に接続するためのものである。
【００５９】
青色レーザダイオード１２に用いられるショートランド・フレキシブルプリント基板１０５は、青色レーザダイオード１２の基部とＬＤフレキシブルプリント基板１０７との間に配置される。詳述すると、青色レーザダイオード１２の基部とショートランド・フレキシブルプリント基板１０５との間には第１の補強板（図示せず）が介在し、ショートランド・フレキシブルプリント基板１０５とＬＤフレキシブルプリント基板１０７との間には第２の補強板（図示せず）が介在している。
【００６０】
同様に、１チップ型レーザダイオード１１に用いられるショートランド・フレキシブルプリント基板１０５は、１チップ型レーザダイオード１１の基部とＬＤフレキシブルプリント基板１０７との間に配置される。詳述すると、１チップ型レーザダイオード１１の基部とショートランド・フレキシブルプリント基板１０５との間には第１の補強板（図示せず）が介在し、ショートランド・フレキシブルプリント基板１０５とＬＤフレキシブルプリント基板１０７との間には第２の補強板（図示せず）が介在している。
【００６１】
図７を参照して、ショートランド・フレキシブルプリント基板１０５について説明する。ショートランド・フレキシブルプリント基板１０５は、レーザダイオード（青色レーザダイオード１２又は１チップ型レーザダイオード１１）の４本の端子を貫通するための第１乃至第４の貫通孔１０５−１、１０５−２、１０５−３、１０５−４を持つ。
【００６２】
レーザダイオードが青色レーザダイオード１２の場合、ＬＤ端子１２−１は第１の貫通孔１０５−１を貫通し、ＧＮＤ端子１２−３は第２の貫通孔１０５−２を貫通し、残り１本のダミー端子は第３の貫通孔１０５−３を貫通する。レーザダイオードが１チップ型レーザダイオード１１の場合、ＣＤ−ＬＤ端子１１−１は第１の貫通孔１０５−１を貫通し、ＤＶＤ−ＬＤ端子１１−２は第２の貫通孔１０５−２を貫通し、ＧＮＤ端子１１−３は第３の貫通孔１０５−３を貫通し、残り１本のダミー端子は第４の貫通孔１０５−４を貫通する。
【００６３】
ショートランド・フレキシブルプリント基板１０５は、第１の貫通孔１０５−１を覆って下方へ延在する第１の導体パターン１０５−６と、第２の貫通孔１０５−２を覆って下方へ延在する第２の導体パターン１０５−７と、第３の貫通孔１０５−３を覆って下方へ延在する第３の導体パターン１０５−８とを有する。
【００６４】
第１乃至第３の導体パターン１０５−６〜１０５−８に亘って下部において半田１０９を塗布し、第１乃至第３の貫通孔１０５−１〜１０５−３の周りの第１乃至第３の導体パターン１０５−６〜１０５−８に半田１１１を塗布することにより、第１乃至第３の貫通孔１０５−１〜１０５−３を貫通するレーザダイオードの端子間をショートすることができる。
【００６５】
図８を参照して、ＬＤフレキシブルプリント基板１０７について説明する。ＬＤフレキシブルプリント基板１０７は、レーザダイオード（青色レーザダイオード１２又は１チップ型レーザダイオード１１）の４本の端子を貫通するための第１乃至第４の貫通孔１０７−１、１０７−２、１０７−３、１０７−４を持つ。
【００６６】
レーザダイオードが青色レーザダイオード１２の場合、ＬＤ端子１２−１は第１の貫通孔１０７−１を貫通し、ＧＮＤ端子１２−３は第２の貫通孔１０７−２を貫通し、残り１本のダミー端子は第３の貫通孔１０７−３を貫通する。レーザダイオードが１チップ型レーザダイオード１１の場合、ＣＤ−ＬＤ端子１１−１は第１の貫通孔１０７−１を貫通し、ＤＶＤ−ＬＤ端子１１−２は第２の貫通孔１０７−２を貫通し、ＧＮＤ端子１１−３は第３の貫通孔１０７−３を貫通し、残り１本のダミー端子は第４の貫通孔１０７−４を貫通する。
【００６７】
ＬＤフレキシブルプリント基板１０７は、第４の貫通孔１０７−４および第１の貫通孔１０７−１を覆って上方へ延在する第１の導体パターン１０７−６と、第２の貫通孔１０７−２を覆って上方へ延在する第２の導体パターン１０７−７と、第３の貫通孔１０７−３を覆って下方へ延在する第３の導体パターン１０７−８とを有する。
【００６８】
第１乃至第３の貫通孔１０７−１〜１０７−３の周りの第１乃至第３の導体パターン１０７−６〜１０７−８に半田１１３を塗布することにより、第１乃至第３の貫通孔１０７−１〜１０７−３に貫通されたレーザダイオードの端子は、それぞれ、第１乃至第３の導体パターン１０７−６〜１０７−８と電気的に接続される。なお、第４の貫通孔１０７−４の周りの第１の導体パターン１０７−６にも半田１１３が塗布されるので、第１の貫通孔１０７−１及び第３の貫通孔１０７−４を貫通するレーザダイオードの端子同士はショートされる。
【００６９】
前述したように、レーザダイオード（１チップ型レーザダイオード１１又は青色レーザダイオード１２）の基部には、第１の補強板を介してショートランド・フレキシブルプリント基板１０５が取り付けられ、このショートランド・フレキシブルプリント基板１０５には第２の補強板を介してＬＤフレキシブルプリント基板１０７が取り付けられる。この状態において、ショートランド・フレキシブルプリント基板１０５の下部が露出しており、その第１乃至第３の導体パターン１０５−６〜１０５−８が外部に露出している。したがって、それらをショートするための半田１０９も外部に露出している。
【００７０】
青色レーザダイオード１２を第２のＬＤホルダ１０２で保持しつつ光学ベース４０の外側壁に取り付けて、青色レーザダイオード１１をＯＰＵ回路基板７１上のレーザダイオード・ドライバＬＤＤ（図示せず）と電気的に接続するまでの間は、青色レーザダイオード１２のＬＤ端子１２−１とＧＮＤ端子１２−２とは、ショートランド・フレキシブルプリント基板１０５の半田１０９でショートされる。これにより、青色レーザダイオード１２が静電気により破壊するのを防止している。その後、青色レーザダイオード１２とＯＰＵ回路基板７１上のレーザダイオード・ドライバＬＤＤとをＬＤフレキシブルプリント基板１０７を介して電気的に接続した後に、上記半田１０９を溶かしてその半田１０９を吸い取ることによって、青色レーザダイオード１２のＬＤ端子１２−１とＧＮＤ端子１２−２とをオープンする。
【００７１】
半田１０９を付けたり溶かしたりする位置が、青色レーザダイオード１２のＬＤ端子１２−１から離れているので、半田１０９を付けたり溶かす際に、熱が青色レーザダイオード１２のＬＤ端子１２−１に過剰に伝わることがない。したがって、青色レーザダイオード１２に悪影響を与えるのを防ぐことができる。
【００７２】
同様に、１チップ型レーザダイオード１１を第１のＬＤホルダ１０１で保持しつつ光学ベース４０の外側壁に取り付けて、１チップ型レーザダイオード１１をＯＰＵ回路基板７１上のレーザダイオード・ドライバＬＤＤ（図示せず）と電気的に接続するまでの間は、１チップ型レーザダイオード１１のＣＤ−ＬＤ端子１１−１とＤＶＤ−ＬＤ端子１１−２とＧＮＤ端子１１−３とは、ショートランド・フレキシブルプリント基板１０５の半田１０９でショートされる。これにより、１チップ型レーザダイオード１１が静電気により破壊するのを防止している。その後、１チップ型レーザダイオード１１とＯＰＵ回路基板７１上のレーザダイオード・ドライバＬＤＤとをＬＤフレキシブルプリント基板１０７を介して電気的に接続した後に、上記半田１０９を溶かしてその半田１０９を吸い取ることによって、１チップ型レーザダイオード１１のＣＤ−ＬＤ端子１１−１とＤＶＤ−ＬＤ端子１１−２とＧＮＤ端子１２−２とをオープンする。
【００７３】
半田１０９を付けたり溶かしたりする位置が、１チップ型レーザダイオード１１のＣＤ−ＬＤ端子１１−１およびＤＶＤ−ＬＤ端子１１−２から離れているので、半田１０９を付けたり溶かす際に、熱が１チップ型レーザダイオード１１のＣＤ−ＬＤ端子１１−１やＤＶＤ−ＬＤ端子１１−２に過剰に伝わることがない。したがって、１チップ型レーザダイオード１１に悪影響を与えるのを防ぐことができる。
【００７４】
図４乃至図６に示されるように、光ピックアップ１０は、１チップ型レーザダイオード１１と青色レーザダイオード１２とを覆うサイドカバー１１０を備えている。このサイドカバー１１０の一端１１０ａはネジ１１２で光学ベース４０に固定され、サイドカバー１１０の他端はＵＶ接着剤１１４で光学ベース４０に固着される。尚、サイドカバー１１０と光学ベース４０とが互いに近接する隙間には、第１のＬＤホルダ１０１とサイドカバー１１０と光学ベース４０との間を連結すると共に、第２のＬＤホルダ１０２とサイドカバー１１０と光学ベース４０との間を連結するように、図示しないシリコーン樹脂が塗布されている。シリコーン樹脂は放熱用樹脂として働く。
【００７５】
このサイドカバー１１０は、本光ピックアップ１０を取り扱う際に、人（作業者、製造者）が１チップ型レーザダイオード１１や青色レーザダイオード１２のＬＤ端子（ＣＤ−ＬＤ端子１１−１、ＤＶＤ−ＬＤ端子１１−２、ＬＤ端子１２−１）に直接触れるのを防ぐためのものである。これにより、１チップ型レーザダイオード１１や青色レーザダイオード１２が人に蓄積している静電気によって破壊するのを防止している。尚、このサイドカバー１１０は、レーザダイオード（１チップ型レーザダイオード１１、青色レーザダイオード１２）を保護するだけでなく、不要輻射ノイズが外部へ放射するのを軽減する役目をも担っている。
【００７６】
また、ＬＤホルダ（第１のＬＤホルダ１０１、第２のＬＤホルダ１０２）とサイドカバー１１０と光学ベース４０との間にシリコーン樹脂のような放熱用樹脂を塗布しているので、レーザダイオード（１チップ型レーザダイオード１１、青色レーザダイオード１２）で発生した熱を効率良く放熱することができる。すなわち、サイドカバー１１０を介して光学ベース４０側に熱を逃したり、サイドカバー１１０から外部に熱を放熱することができる。
【００７７】
以上、本発明ついて一実施の形態に即して説明してきたが、本発明は上記実施の形態に限定されるものではない。例えば、上述した実施の形態では、青色レーザビーム対応の光ディスクとしてＨＤ−ＤＶＤを使用した場合を例に挙げて説明しているが、ＨＤ−ＤＶＤの代わりにＢｌｕ−ｒａｙディスクを用いても良いのは勿論である。また、上述した実施の形態では、光ピックアップとして３波長対応光ピックアップを例に挙げて説明したが、本発明はこれに限定されず、他のタイプの光ピックアップにも適用可能であるのは勿論である。
【図面の簡単な説明】
【００７８】
【図１】本発明の一実施の形態に係る３波長対応光ピックアップの光学系のシステム構成図（光路図）である。
【図２】図１に図示した３波長対応光ピックアップに使用される光検出器の構成を示す概略平面図である。
【図３】図１に図示した３波長対応光ピックアップの斜視図である。
【図４】図１の図示した３波長対応光ピックアップの斜視図である。
【図５】図１に図示した３波長対応光ピックアップの斜視図である。
【図６】図４に示した３波長対応光ピックアップの分解斜視図である。
【図７】図６に示した３波長対応光ピックアップに使用されるショートランド・フレキシブルプリント基板の平面図である。
【図８】図６に示した３波長対応光ピックアップに使用されるＬＤフレキシブルプリント基板の平面図である。
【符号の説明】
【００７９】
１０      ３波長対応光ピックアップ
１１      １チップ型レーザダイオード
１１−１    ＣＤ−ＬＤ端子
１１−２    ＤＶＤ−ＬＤ端子
１１−３    ＧＮＤ端子
１２      青色レーザダイオード(第３のレーザダイオード)
１２−１    ＬＤ端子
１２−２    ＧＮＤ端子
１６      第１の回折格子（グレーティング）
１７      第２の回折格子（グレーティング）
２１      第１のビームスプリッタ
２３      第２のビームスプリッタ
２５      フロントモニタ
２７      立上げミラー（全反射ミラー）
２９      コリメータレンズ
３１      対物レンズ
３３      センサレンズ
３５      光検出器
３５−１    第１の受光部
３５−２    第２の受光部
４０      光学ベース
５０      対物レンズ駆動装置
５１      対物レンズホルダ
５２      サスペンションワイヤ
５３      ダンパベース
６１      係合部（係合孔）
６２      摺接部
６３      キャップ
７１      ＯＰＵ回路基板
７２      ＰＤフレキシブルプリント基板（ＦＰＣ）
７３      ＰＤ回路基板
１０１    第１のＬＤホルダ
１０２    第２のＬＤホルダ
１０５    ショートランド・フレキシブルプリント基板
１０５−１〜１０５−４    貫通孔
１０５−６    第１の導体パターン
１０５−７    第２の導体パターン
１０５−８    第３の導体パターン
１０７    ＬＤフレキシブルプリント基板
１０７−１〜１０７−４    貫通孔
１０７−６    第１の導体パターン
１０７−７    第２の導体パターン
１０７−８    第３の導体パターン
１０９    半田
１１０    サイドカバー
１１１    半田
１１２    ネジ
１１３    半田
１１４    ＵＶ接着剤
【図１】
2008090922.tif 000003
【図２】
2008090922.tif 000004
【図３】
2008090922.tif 000005
【図４】
2008090922.tif 000006
【図５】
2008090922.tif 000007
【図６】
2008090922.tif 000008
【図７】
2008090922.tif 000009
【図８】
2008090922.tif 000010